(57)【要約】【課題】カードを取得の際に、取得するカード識別番号の記入ミスを回避しうるカードを製造するカード識別番号付加装置及びその方法を提供する。【解決手段】カード識別番号付加装置は、エンコードユニットと、エンボスユニットと、印字ユニットと、コントロールユニットとを備える。エンコードユニットは、ラベル付きカードの磁気記録部分に識別番号を磁気記録する。エンボスユニットは、ラベル付きカードに識別番号をエンボス加工する。印字ユニットは、ラベル付きカードに設けられたラベルに識別番号を印字する。コントロールユニットは、エンコードユニットと、エンボスユニットと、印字ユニットとをそれぞれ制御する。【選択図】図３
2010072815.tif 000002
【特許請求の範囲】
【請求項１】
ラベル付きカードに識別番号を磁気記録するエンコードユニットと、
上記ラベル付きカードに上記識別番号をエンボス加工するエンボスユニットと、
上記ラベル付きカードに設けられたラベルに上記識別番号を印字する印字ユニットと、
上記エンコードユニットと、上記エンボスユニットと、上記印字ユニットとをそれぞれ制御するコントロールユニットとを備えるカード識別番号付加装置。
【請求項２】
上記エンコードユニット装置、上記エンボスユニット装置、上記印字ユニットの順番に並んで構成される、請求項１に記載のカード識別番号付加装置。
【請求項３】
上記ラベル付きカードのラベルに印字された上記識別番号と形態が異なる別の識別番号を印字する別の印字ユニットを、さらに備える、請求項１に記載のカード識別番号付加装置。
【請求項４】
上記ラベル付きカードを供給する供給装置を、さらに備える、請求項１に記載のカード識別番号付加装置。
【請求項５】
カードに識別番号を付加するカード識別番号付加方法であって、
上記カードを用意し、
上記カード表面にラベルの一方端を粘着させてラベル付きカードを形成し、
上記ラベル付きカードに識別番号を磁気記録し、
上記ラベル付きカードに上記識別番号をエンボス加工し、
上記ラベル付きカードに設けられたラベルに上記識別番号を印字することを特徴とする、カード識別番号付加方法。
【請求項６】
上記ラベル付きカードのラベルに印字された上記識別番号と形態が異なる別の識別番号をさらに印字する、請求項５に記載のカード識別番号付加方法。
【発明の詳細な説明】
【技術分野】
【０００１】
本発明は、カード識別番号付加装置及びその方法に関し、より特定的には、ポイントカード等のカードに複数の識別番号を付加するカード識別番号付加装置及びその方法に関する。
【背景技術】
【０００２】
近年、消費した金額に応じて、付与されるポイントを蓄積するために、例えばポイントカードが広く普及している。
【０００３】
従来のポイントカードの下方表面には、識別番号（例えば、１６桁）がエンボス加工されている。さらに、従来のポイントカード上方には、磁気ストライプを有しており、この磁気ストライプには、上述した識別番号が磁化されている。
【０００４】
このようなポイントカードには、消費した金額に応じてポイントが付与され、蓄積される。また、蓄積されたポイントは、あらかじめ取り決められたレートに基づいて、金銭として代替え使用される。
【０００５】
一方、このようなポイントカードを取得する際に、ポイントカードにエンボス加工されている識別番号を、例えば手書きで申込用紙に直接記入して、さらに必要事項を記入して、登録する必要があった（例えば、特許文献１）。
【特許文献１】特開２０００−２００２６２号公報
【発明の開示】
【発明が解決しようとする課題】
【０００６】
しかしながら、上記特許文献１によれば、ポイントカードに付与されている識別番号を申込用紙に手書きで記入するため、記入ミスを起こす可能性があり、記入ミスを起こすと、申込用紙に記入された識別番号がポイントカードに付与されている識別番号と異なることになる。その結果、識別番号が間違って登録されてしまうために、ユーザが取得して、ポイントカードに蓄積されたポイントを使用する際に、ユーザはポイントを使用できないという問題がある。
【０００７】
本発明の目的は、上記問題を解決することにあって、カード（例えば、ポイントカード）を取得の際に、取得するカード識別番号の記入ミスを回避しうるカードを製造するカード識別番号付加装置及びその方法を提供することにある。
【課題を解決するための手段】
【０００８】
上記目的を達成するために、本発明は以下のように構成する。
【０００９】
本発明の第１態様によれば、ラベル付きカードの磁気記録部分に識別番号を磁気記録するエンコードユニットと、上記ラベル付きカードに上記識別番号をエンボス加工するエンボスユニットと、上記ラベル付きカードに設けられたラベルに上記識別番号を印字する印字ユニットと、上記エンコードユニットと、上記エンボスユニットと、上記印字ユニットとをそれぞれ制御するコントロールユニットとを備えるカード識別番号付加装置を提供する。
【００１０】
本発明の第２態様によれば、上記エンコードユニット、上記エンボスユニット、上記印字ユニットの順番に並んで構成される、第１態様に記載のカード識別番号付加装置を提供する。
【００１１】
本発明の第３態様によれば、上記ラベル付きカードのラベルに印字された上記識別番号と形態が異なる別の識別番号を印字する別の印字ユニットを、さらに備える、第１態様に記載のカード識別番号付加装置を提供する。
【００１２】
本発明の第４態様によれば、上記ラベル付きカードを供給する供給装置を、さらに備える、第１態様に記載のカード識別番号付加装置を提供する。
【００１３】
本発明の第５態様によれば、カードに識別番号を付加するカード識別番号付加方法であって、上記カードを用意し、上記カード表面にラベルの一方端を粘着させてラベル付きカードを形成し、上記ラベル付きカードに識別番号を磁気記録し、上記ラベル付きカードに上記識別番号をエンボス加工し、上記ラベル付きカードに設けられたラベルに上記識別番号を印字することを特徴とする、カード識別番号付加方法を提供する。
【００１４】
本発明の第６態様によれば、上記ラベル付きカードのラベルに印字された上記識別番号と形態が異なる別の識別番号をさらに印字する、第５態様に記載のカード識別番号付加方法を提供する。
【発明の効果】
【００１５】
本発明によれば、カード識別番号付加装置は、ラベル付きカードの磁気記録部分に識別番号を磁気記録するエンコードユニットと、ラベル付きカードに識別番号をエンボス加工するエンボスユニットと、ラベル付きカードに設けられたラベルに識別番号を印字する印字ユニットと、エンコードユニットと、エンボスユニットと、印字ユニットとをそれぞれ制御するコントロールユニットとを備える構成が採用されているので、１パスで、複数の識別番号をラベル付きカードに付加することができる。さらに、識別番号が印字されたラベルをラベル付きカードから簡単に剥離して、そのラベルをカード取得するための申込用紙の所定の位置に貼り付けることで、識別番号を誤記入することを防ぐことができる。
【発明を実施するための最良の形態】
【００１６】
以下に、本発明に係る実施形態を、図面を参照しながら説明する。
【００１７】
本発明の実施形態に係るラベル付きカード１０（ラベル１１が貼り付けられていない状態）の模式斜視図を図１に示す。また、従来の一般的に用いられるポイントカードも同様の形態をしている。また、図２は、ラベル付きカード１０（ラベル１１が貼り付けられていない状態）の内部構造を示す模式分解図である。
【００１８】
図２に示すように、ラベル付きカード１０（ラベル１１が貼り付けられていない状態）は、表面オーバーフィルム４、表面コアシート５、裏面コアシート６、及び裏面オーバーフィルム７の４層構造から形成されている。表面コアシート５の表面には、図１に示すようなデザイン２が印刷されている。また、図２に示すラベル付きカード１０は、例えば接着剤を介して、表面オーバーフィルム４、表面コアシート５、裏面コアシート６、及び裏面オーバーフィルム７のそれぞれが接合されて、図１に示すように、一体的に形成されている。
【００１９】
ここで、本発明の実施形態に係るラベル付きカード１０（ラベル１１が貼り付けられている状態）の模式斜視図を図３に示す。ラベル付きカード１０は、図３に示すように、ラベル１１、エンボス加工領域１２及び磁気ストライプ（図示せず）を有している。
【００２０】
ラベル１１は、その一方の端部は、剥離紙が剥がされて、ラベル付きカード１０の表面に粘着されている。ラベル１１の表面は、無地であり、識別番号１３ｂが印字される。
【００２１】
エンボス加工領域１２は、上述した従来のポイントカード１と同様に、識別番号１３ｃがエンボス加工される。
【００２２】
ラベル付きカードの磁気ストライプは、上述した従来のポイントカード１と同様に、識別番号１３ａ（図５参照）が磁化される。
【００２３】
また、識別番号１３ａ〜１３ｃのそれぞれは、記録される方法が異なるだけで、識別番号は同じである。以下、これら識別番号１３ａ〜１３ｃを総称して識別番号１３と呼ぶ。
【００２４】
ここで、本実施形態に係るカード識別番号付加装置２０の概略図を図４に示す。図４に示すように、カード識別番号付加装置２０は、エンコードユニット２１、印字ユニット２２、エンボスユニット２３、コントロールユニット２４及び表示装置２５を備える。また、エンコードユニット２１、印字ユニット２２及びエンボスユニット２３のそれぞれは、カードレール２６（例えば、図５参照）で繋がっており、紙面に向かって右から左に、エンコードユニット２１、印字ユニット２２及びエンボスユニット２３のそれぞれにラベル付きカード１０が搬送される。
【００２５】
また、図５は、ラベル付きカード１０の磁気ストライプ１８に識別番号１３ａを磁化するエンコードユニット２１の模式概略図であり、図６は、図５の図示上面から見たエンコードユニット２１の模式平面図である。また、図７は、ラベル付きカード１０のラベル１１に識別番号１３ｂを印字する印字ユニット２２の模式概略図であり、図８は、図７の図示上面から見た印字ユニット２２の模式平面図である。さらに、図９は、ラベル付きカード１０のエンボス加工領域１２に識別番号１３ｃをエンボス加工するエンボスユニット２３の模式概略図であり、図１０は、図９の図示上面から見たエンボスユニット２３の模式平面図である。
【００２６】
エンコードユニット２１は、ラベル付きカード１０の磁気ストライプ１８（本発明の磁気録部分に相当）に識別番号１３ａを磁化する。図５に示すように、ラベル付きカード２０がエンコードユニット２１を通過する際に、ラベル付きカード１０の磁気ストライプが磁気書き込みヘッド３１と接触して、磁気ストライプに識別番号１３ａが磁化される。
【００２７】
具体的には、図６に示すように、磁気書き込みヘッド３１に電流を印可して磁界を発生させて、磁気書き込みヘッド３１にラベル付きカード１０の磁気ストライプを接触させながら、ラベル付きカード１０を一定速度で走査させる。これにより、設定された識別番号１３ａのデータが電磁変換されて、磁気ストライプに識別番号１３ａを示す磁化されたビットパターンが形成される。
【００２８】
印字ユニット２２は、ラベル付きカード１０のラベル１１に識別番号１３ｂを印字する。印字ユニット２２は、例えば昇華プリント又は熱転写プリントなどで構成され、本実施形態では、図７に示すように、熱転写プリントで構成されている。
【００２９】
例えば、印字ユニット２２において、ラベル付きカード１０が印字リボン箔４１と同速でカードレール２６を搬送される。図８に示されるように、ラベル付きカード１０におけるラベル１１は、印字リボン箔４１と対向するように配置される。次に、サーマルヘッド４２により印字リボン箔４１を介して熱転写して、識別番号１３ｂがラベル１１に熱転写される。
【００３０】
エンボスユニット２３は、ラベル付きカード１０のエンボス加工領域１２に識別番号１３ｃをエンボス加工する。エンボスユニット２３は、図９に示すように、ラベル付きカード１０のエンボス加工領域１２に凸形状の識別番号１３ｃを形成することができる。
【００３１】
具体的には、図１０に示すように、シール付きカード１０を図示上下方向からパンチ部材前側５１及びパンチ部材後側５２で保持して、パンチ部材前側５１及びパンチ部材後側５２のそれぞれを図１０に示される矢印Ａ及びＢ方向から打刻する。パンチ部材前側５１及びパンチ部材後側５２のそれぞれは、凹凸形状に形成され、例えば、英文字、数字などを構成している。また、パンチ部材前側５１、例えば円形状に形成され、英文字、数字などが、円環状に配置されている。また、このパンチ部材前側５１及びパンチ部材後側５２を交換することで、例えば、小文字の英文字などをラベル付きカード１０にエンボス加工することができる。
【００３２】
コントロールユニット２４は、例えばＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）などを備えるＣＰＵ（Ｃｅｎｔｒａｌ  Ｐｒｏｃｅｓｓｉｎｇ  Ｕｎｉｔ）で構成されるパーソナルコンピュータである。
【００３３】
また、コントロールユニット２４は、エンコードユニット２１、印字ユニット２２、及びエンボスユニット２３のそれぞれと接続されている。例えば、コントロールユニット２４は、エンコードユニット２１、印字ユニット２２、及びエンボスユニット２３のそれぞれに識別番号１３の情報を出力する。
【００３４】
表示装置２５は、例えば液晶やＥＬ（Ｅｌｅｃｔｒｏｌｕｍｉｎｅｓｃｅｎｃｅ）等を用いたディスプレイで構成され、情報を表示する。具体的には、表示装置２５は、カード識別番号付加装置２０の稼働状況などを表示する。
【００３５】
このように、カード識別番号付加装置２０は、ラベル付きカード１０の磁気記録部分１８に識別番号１３ａを磁気記録するエンコードユニット２１と、ラベル付きカード１０に識別番号１３ｃをエンボス加工するエンボスユニット２３と、ラベル付きカード１０に設けられたラベル１１に識別番号１３ｂを印字する印字ユニット２２と、エンコードユニット２１と、エンボスユニット２３と、印字ユニット２２とをそれぞれ制御するコントロールユニット２４とを備える構成が採用されているので、１パスで、複数の識別番号１３ａ〜１３ｃをラベル付きカード１０に付加することができる。さらに、識別番号１３ｂが印字されたラベル１１をラベル付きカード１０から簡単に剥離して、そのラベル１１をカード取得するための申込用紙の所定の位置に貼り付けることで、識別番号１３ｂを誤記入することを防ぐことができる。
【００３６】
また、ラベル付きカード１０は、図示しない供給装置を用いて、カード識別番号付加装置２０に供給されても良い。これにより、自動的に、ラベル付きカード１０をカード識別番号付加装置２０に供給することができる。
【００３７】
また、カード識別番号付加装置２０は、エンコードユニット２１、エンボスユニット２２及び印字ユニット２３の組み合わせで説明してきたが、どのような組み合わせであっても構わない。さらに、別の印字ユニットを組み合わせて、例えばバーコードなど構成される識別情報がラベル付きカード１０又はラベル１１に印字されてもよい。なお、この識別情報は、識別番号１３と形態が異なるだけである。
【００３８】
なお、上記様々な実施形態のうちの任意の実施形態を適宜組み合わせることにより、それぞれの有する効果を奏するようにすることができる。
【００３９】
本発明は、添付図面を参照しながら好ましい実施形態に関連して充分に記載されているが、この技術の熟練した人々にとっては種々の変形や修正は明白である。そのような変形や修正は、特許請求の範囲による本発明の範囲から外れない限りにおいて、その中に含まれると理解されるべきである。
【産業上の利用可能性】
【００４０】
本発明に係るカード識別番号付加装置及びその方法は、１パスの製造工程にて、ラベル付きカードに複数の種類の識別番号を加工して付加する効果を有し、ポイントカードなど識別番号を加工して付加するカード識別番号付加装置及びその方法に有用である。
【図面の簡単な説明】
【００４１】
【図１】ラベル貼付前のカードの模式斜視図
【図２】本実施形態に係るラベル付きカードのラベルがない状態のカードの模式分解図
【図３】本実施形態に係るラベル付きカードの模式斜視図
【図４】本実施形態に係るカード識別番号付加装置の模式概略図
【図５】ラベル付きカードの磁気ストライプに識別番号を磁化するエンコードユニットの模式概略図
【図６】図５の図示上面から見たエンコードユニットの模式平面図
【図７】ラベル付きカードのラベルに識別番号を印字する印字ユニットの模式概略図
【図８】図７の図示上面から見た印字ユニットの模式平面図
【図９】ラベル付きカードのエンボス加工領域に識別番号をエンボス加工するエンボスユニットの模式概略図
【図１０】図９の図示上面から見たエンボスユニットの模式平面図
【符号の説明】
【００４２】
２  デザイン
４  表面オーバーフィルム
５  表面コアシート
６  裏面コアシート
７  裏面オーバーフィルム
８  磁気ストライプ
１０  ラベル付きカード
１１  ラベル
１２  エンボス加工領域
１３  識別番号
２０  カード識別番号付加装置
２１  エンコードユニット
２２  エンボスユニット
２３  印字ユニット
２４  コントロールユニット
２５  表示装置
２６  カードレール
３１  磁気書き込みヘッド
４１  印字リボン箔
４２  サーマルヘッド
５１  パンチ前側
５２  パンチ後側
【図１】
2010072815.tif 000003
【図２】
2010072815.tif 000004
【図３】
2010072815.tif 000005
【図４】
2010072815.tif 000006
【図５】
2010072815.tif 000007
【図６】
2010072815.tif 000008
【図７】
2010072815.tif 000009
【図８】
2010072815.tif 000010
【図９】
2010072815.tif 000011
【図１０】
2010072815.tif 000012